(57)【要約】【課題】簡単な構成により、美観を損なうことなく、自立型の薄型テレビ、自立型の薄型ディスプレイの転倒を防止可能な機構を備えたディスプレイ台を提案すること。【解決手段】自立型の薄型テレビ１のテレビ台１０は、その天板１１の下側に間隔保持板２０を介してテレビ支持板１９が平行に取り付けられ、これらの間に、後側から薄型テレビ１の支持板４を差込可能な支持板差込部２１が形成されている。天板１１には後側から前方に切り欠くことにより支持脚挿入溝２２が形成されており、ここに、薄型テレビ１の支持脚３を後側から挿入可能である。薄型テレビ１がテレビ台１０に後側から装着した状態では、天板１１およびテレビ支持板１９によって薄型テレビ１の転倒が防止される。装着状態では支持板４が覆い隠されるので見た目も良い。【選択図】図１
2008005027.tif 000002
【特許請求の範囲】
【請求項１】
ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、
水平な天板と、
この天板の上側に水平に配置された目隠し板と、
これら天板および目隠し板の間に形成され、後側に開口している支持板差込部と、
目隠し板の一部を後端面の側から前方に向けて所定の幅で所定の長さだけ切り欠くことによりに形成された支持脚挿入溝と、
を有していることを特徴とするディスプレイ台。
【請求項２】
ディスプレイ本体と、ディスプレイ本体の下端部からほぼ垂直に下方に延びている支持脚と、この支持脚の下端に取り付けた水平な支持板とを備えている自立型の薄型テレビを載せるための既存のテレビ台を用意し、
このテレビ台の天板の上側に、支持板を後側から水平に差込可能な間隔をあけて、当該天板と平行に目隠し板を取り付け、
この目隠し板をテレビ台に取り付ける前あるいは後において、当該目隠し板の一部を、その後端面の側から前方に向けて所定の幅で所定の長さだけ切り欠くことにより、支持脚を後ろ側から挿入可能な支持脚挿入溝を形成することを特徴とする既存のテレビ台に薄型テレビの転倒防止機能を追加する方法。
【請求項３】
ディスプレイ本体と、ディスプレイ本体の下端部からほぼ垂直に下方に延びている支持脚と、この支持脚の下端に取り付けた水平な支持板とを備えている自立型の薄型テレビを載せるための既存のテレビ台を用意し、
このテレビ台の天板の下側に、支持板を後側から水平に差込可能な間隔をあけて、当該天板と平行にテレビ支持板を取り付け、
このテレビ支持板をテレビ台に取り付ける前あるいは後において、テレビ台の天板の一部を、その後端面の側から前方に向けて所定の幅で所定の長さだけ切り欠くことにより、支持脚を後ろ側から挿入可能な支持脚挿入溝を形成することを特徴とする既存のテレビ台に薄型テレビの転倒防止機能を追加する方法。
【請求項４】
請求項２または３に記載の方法により、薄型テレビの転倒防止機能が追加されたことを特徴とするテレビ台。
【発明の詳細な説明】
【技術分野】
【０００１】
本発明は、大型の液晶ディスプレイ、プラズマディスプレイなどの薄型ディスプレイ、または、このような薄型ディスプレイを備えた薄型テレビを載せるためのディスプレイ台に関するものである。更に詳しくは、薄型ディスプレイの転倒を簡単な構造により防止可能なディスプレイ台に関するものである。
【背景技術】
【０００２】
近年においては、大型の液晶ディスプレイ、プラズマディスプレイなどを備えた薄型テレビが普及している。薄型テレビは、一般に、大型の薄型ディスプレイ本体と、この下端中央部分から下方に延びている支持脚と、支持脚の下端に取り付けた水平な支持板とを備えた自立型構造となっている。この構造の薄型テレビを載せるために市販されているテレビ台は、ブラウン管テレビ用のテレビ台と同様に、複数段の棚あるいは収納部を備え、その天板の上に薄型テレビを載せるようになっている。
【０００３】
ここで、自立型の薄型テレビの場合には重心位置が高く、転倒しやすいという問題点がある。薄型テレビの転倒防止具としては下記の特許文献１に開示のものがある。この特許文献１では、薄型テレビの背面部と、これに対峙している壁面との間にワイヤを架け渡して、薄型テレビの転倒を防止している。
【特許文献１】実用新案登録第３１２０４２８号公報
【発明の開示】
【発明が解決しようとする課題】
【０００４】
しかしながら、ワイヤで薄型テレビを壁に連結する転倒防止機構では、壁側に薄型テレビが転倒すると壁面に衝突して薄型テレビあるいは壁が損傷するという弊害がある。また、薄型テレビを任意の位置に移動できないという制約がある。さらには、ワイヤを取り付けるために壁面に傷が付くなどの弊害がある。これに加えて、ワイヤ、連結金具が露出しているので、壁面、薄型テレビの美観を損なうという弊害がある。
【０００５】
本発明の課題は、このような点に鑑みて、簡単な構成により、美観を損なうことなく、自立型の薄型テレビ、自立型の薄型ディスプレイの転倒を防止可能な機構を備えたディスプレイ台を提案することにある。
【０００６】
また、本発明の課題は、既存のテレビ台に薄型テレビあるいは薄型ディスプレイの転倒防止機構を簡単に追加できる方法を提案することにある。
【課題を解決するための手段】
【０００７】
上記の課題を解決するために、本発明は、ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、
水平な天板と、
この天板の上側に水平に配置された目隠し板と、
これら天板および目隠し板の間に形成され、後側に開口している支持板差込部と、
目隠し板の一部を後端面の側から前方に向けて所定の幅で所定の長さだけ切り欠くことによりに形成された支持脚挿入溝とを有していることを特徴としている。
【０００８】
ディスプレイの支持板および支持脚を、ディスプレイ台の後側から、それぞれ、支持板差込部、および支持脚挿入溝に位置決めし、前方に水平に押し出すと、支持板が支持板差込部に差し込まれ、支持脚が支持脚挿入溝に挿入された状態になる。
【０００９】
ディスプレイが転倒しようとすると、支持板が上下の目隠し板および天板に当るので、ディスプレイの転倒が確実に防止される。また、目隠し板によって、ディスプレイの支持板が覆い隠され、支持脚挿入溝から上方に突出している支持脚の上側部分のみが露出する。したがって、支持板が露出した状態で設置されている場合に比べて、美観の点からも好ましい。
【００１０】
かかる構造の転倒防止機構は、既存のテレビ台に簡単に追加することができる。すなわち、本発明による既存のテレビ台に薄型テレビの転倒防止機能を追加する方法は、
ディスプレイ本体と、ディスプレイ本体の下端部からほぼ垂直に下方に延びている支持脚と、この支持脚の下端に取り付けた水平な支持板とを備えている自立型の薄型テレビを載せるための既存のテレビ台を用意し、
このテレビ台の天板の上側に、支持板を後側から水平に差込可能な間隔をあけて、当該天板と平行に目隠し板を取り付け、
この目隠し板をテレビ台に取り付ける前あるいは後において、当該目隠し板の一部を、その後端面の側から前方に向けて所定の幅で所定の長さだけ切り欠くことにより、支持脚を後ろ側から挿入可能な支持脚挿入溝を形成することを特徴としている。
【００１１】
本発明の方法では、既存のテレビ台に、支持脚挿入溝を備えた一枚の目隠し板を取り付けるだけでよいので、極めて簡単に、薄型テレビの転倒防止機能を既存のテレビ台に追加できる。
【００１２】
ここで、既存のテレビ台の天板の下側に一枚の板を取り付けて薄型テレビの転倒防止機能を追加することもできる。この場合には、
ディスプレイ本体と、ディスプレイ本体の下端部からほぼ垂直に下方に延びている支持脚と、この支持脚の下端に取り付けた水平な支持板とを備えている自立型の薄型テレビを載せるための既存のテレビ台を用意し、
このテレビ台の天板の下側に、支持板を後側から水平に差込可能な間隔をあけて、当該天板と平行にテレビ支持板を取り付け、
このテレビ支持板をテレビ台に取り付ける前あるいは後において、テレビ台の天板の一部を、その後端面の側から前方に向けて所定の幅で所定の長さだけ切り欠くことにより、支持脚を後ろ側から挿入可能な支持脚挿入溝を形成すればよい。
【発明の効果】
【００１３】
本発明のディスプレイ台では、その後側から自立型のディスプレイの支持板および支持脚を挿入可能な支持板差込部および支持脚挿入溝が形成されている。支持板が上下の目隠し板および天板の間に保持され、ディスプレイの転倒が確実に防止される。また、ディスプレイの支持板の部分が目隠し板によって覆い隠されるので、外観品位も改善される。
【００１４】
一方、本発明の方法では、支持板挿入溝を備えた一枚の板を、既存のテレビ台に取り付けるだけでよいので、極めて簡単に薄型テレビの転倒防止機能を既存のテレビ台に追加できる。
【発明を実施するための最良の形態】
【００１５】
以下に、図面を参照して、本発明を適用した自立型薄型テレビ用のテレビ台の実施の形態を説明する。
【００１６】
（実施の形態１）
図１は、薄型テレビ転倒防止機能を備えたテレビ台、および、当該テレビ台に載せる自立型の大型の薄型テレビを示す斜視図である。この図に示すテレビ台１は、例えば、市販の薄型テレビ用テレビ台を改造することにより得ることができる。
【００１７】
まず、薄型テレビ１は、横長の薄型ディスプレイ本体２と、この薄型ディスプレイ本体２の下端部中央部からほぼ垂直に下方に延びている支持脚３と、この支持脚３の下端に取り付けた水平な支持板４とを備えている自立型のものである。
【００１８】
この薄型テレビ１を載せるテレビ台１０は、横長の長方形をした一定厚さの天板１１を備えており、この天板１１の下面からは左右対称に配置された２枚の垂直仕切り板１２、１３が取り付けられている。垂直仕切り板１２、１３の下端は、左右対称に配置された２枚の水平底板１４、１５によって支持されている。垂直仕切り板１２、１３の上下方向の中ほどの位置には左右対称に水平棚板１６、１７が取り付けられている。また、左右の垂直仕切り板１２、１３の下端部分の間には、水平底板１４、１５より一段高い位置において、水平底板１８が配置されている。
【００１９】
ここで、天板１１の下側には、左右の垂直仕切り板１２、１３の間に、水平にテレビ支持板１９が取り付けられている。テレビ支持板１９はその前端面が円弧状端面１９ａとされている。天板１１およびテレビ支持板１９には一定厚さの間隔保持板２０が介挿され、これらの間が一定の間隔に保持されている。この間隔は、薄型テレビ１の支持板４の厚さよりも僅かに広い。したがって、上下の天板１１、テレビ支持板１９と、左右の垂直仕切り板１２、１３によって囲まれる部位が、後側に開口した支持板差込部２１となっており、ここに、支持板４を後側から水平に差し込むことが可能である。
【００２０】
また、天板１１には、その幅方向の中央の部位において、その後端面から一定幅で前方に一定の長さだけ切り欠くことにより形成した支持脚挿入溝２２が形成されている。この支持脚挿入溝２２は支持脚３を挿入可能な幅に設定されている。また、その長さは、支持脚挿入溝２２の前端側の端２２ａに支持脚３が当るまで挿入した状態において、薄型テレビ１の支持板４のほぼ全体が、テレビ支持板１９に載った状態が形成されるように設定されている。
【００２１】
このように構成されているテレビ台１０に薄型テレビ１を載せる際には、図１において矢印で示すように、その後側から、薄型テレビ１の支持板４および支持脚３を、それぞれ支持板差込部２１および支持脚挿入溝２２に位置決めする。この状態で薄型テレビ１を前方に向けて、その支持脚３が天板１１の支持脚挿入溝２２の前端２２ａに当たるまで押し込む。
【００２２】
図２はこの装着状態を示す斜視図である。この図から分かるように、薄型テレビ１の支持板４は天板１１によって覆い隠された状態になっている。したがって、設置状態における見た目が良い。また、薄型テレビ１が前後、左右に倒れようとすると、その支持板４が上下の天板１１、テレビ支持板１９に当る。よって、薄型テレビ１の転倒が確実に防止される。
【００２３】
なお、既存のテレビ台を購入し、その天板の上側に目隠し板を平行に配置して、支持板差込部を形成し、当該目隠し板に支持脚挿入溝を形成すれば、簡単に、薄型テレビ転倒防止機能を備えたテレビ台を得ることができる。同様に、既存のテレビ台の天板の下側にテレビ支持板を取り付けて、これらの間に支持板差込部を形成し、既存のテレビ台の天板に支持脚挿入溝を形成することによっても、簡単に、薄型テレビ転倒防止機能を備えたテレビ台を得ることができる。換言すると、既存のテレビ台に薄型テレビ転倒防止機能を簡単に追加することができる。
【００２４】
一方、本発明のテレビ台は、薄型ディスプレイを載せるためのディスプレイ台としてそのまま用いることもできる。
【００２５】
（実施の形態２）
図３は本発明を適用したテレビ台の別の例を示す斜視図および断面図である。これらの図に示すように、本例のテレビ台１００は図１、２に示すテレビ台と基本構成は同じであるので、対応する部位には同一の符号を付し、それらの説明を省略する。以下に、異なる点のみを説明する。
【００２６】
まず、テレビ台１００のテレビ支持板１９Ａは、テレビ台前面から一定量だけ後退した位置から後端まで延びている。テレビ支持板１９Ａの前側の下側位置には、テレビ台前方に円弧状に突出している水平板１９Ｂが配置されている。この水平板１９Ｂは、例えば、センタースピーカの設置場所として利用できる。
【００２７】
また、テレビ支持板１９Ａに載せた薄型テレビ１の支持板４の両側部分が、転倒防止金具１０１を介して、テレビ支持板１９Ａに固定されている。すなわち、固定ねじによってテレビ支持板１９Ａの表面に固定された転倒防止金具１０１と、テレビ支持板１９Ａとの間に、支持板４の左右の縁部分が挟まれた状態で保持されている。これによって、薄型テレビ１の転倒が確実に防止される。
【００２８】
さらに、天板１１Ａは、前方からスライドさせて、左右の垂直仕切り板１２、１３の上端部分に取り付けられて、それらに固定されている。次に述べるように、このスライド機構を備えていることによって、テレビ台１００に薄型テレビ１を設置する作業を簡単に行うことができる。
【００２９】
図４はテレビ台１００に薄型テレビ１を設置する場合の作業を示す説明図である。まず、天板１１Ａを取り付ける前に、テレビ支持板１９Ａに薄型テレビ１を載せる（矢印Ａ）。次に、薄型テレビ１の支持板４の両側部分を転倒防止金具１０１を用いてテレビ支持板１９Ａに固定する。
【００３０】
次に、天板１１Ａを前方から、左右の垂直仕切り板１２、１３の上端部分に沿って後方に向けて水平にスライドさせて、これらの上端部に取り付ける（矢印Ｂ）。天板１１Ａの裏面には垂直仕切り板１２、１３の上端部分をはめ込み可能な細長い溝１０２、１０３が形成されている。これらの溝１０２、１０３に垂直仕切り板１２、１３の上端部分１２ａ、１３ａを差し込み、この状態で、これらを固定する。
【００３１】
ここで、テレビ支持板１９Ａの高さ位置を調整できるように、左右の垂直仕切り板１２、１３における内側の側面部分に、複数の高さ位置にテレビ支持板１９Ａを水平に保持可能なピン穴１１０を形成しておくことができる。ピンの差し込み位置を変えることにより、テレビ支持板１９Ａの高さを変更できると、薄型テレビ１の支持板４の厚さに対応させてテレビ支持板１９Ａと天板１１Ａの間隔を調整でき、汎用性が高まる。
【図面の簡単な説明】
【００３２】
【図１】本発明を適用したテレビ台および、当該テレビ台に装着する薄型テレビを示す斜視図である。
【図２】図１のテレビ台に薄型テレビを装着した状態を示す斜視図である。
【図３】本発明を適用したテレビ台の別の例を示す斜視図および断面図である。
【図４】図３のテレビ台に薄型テレビを設置する作業を示す説明図である。
【符号の説明】
【００３３】
１    薄型テレビ
２    薄型ディスプレイ
３    支持脚
４    支持板
１０  テレビ台
１１  天板
１２、１３  垂直仕切り板
１４、１５、１８  水平底板
１９、１９Ａ  テレビ支持板
２０  間隔保持板
２１  支持板差込部
２２  支持脚挿入溝
１０１  転倒防止金具
【図１】
2008005027.tif 000003
【図２】
2008005027.tif 000004
【図３】
2008005027.tif 000005
【図４】
2008005027.tif 000006